(57)【要約】【課題】カール性及び耐久性に優れ、且つ、人の地毛であるかのように認識される人工毛髪及びこの人工毛髪を備えるかつらを提供する。【解決手段】人工毛髪１０は、表面に位置する第１の層（鞘部１１）と、この第１の層に囲まれた第２の層（芯部１２）と、を含む複数層構造を呈し、第１の層（鞘部１１）の主成分は、ポリブチレンテレフタレート（ＰＢＴ）又はポリトリメチレンテレフタレート（ＰＴＴ）であり、第２の層（芯部１２）の主成分は、ポリエチレンテレフタレート（ＰＥＴ）である。【選択図】図１
2018071017.tif 000002
【特許請求の範囲】
【請求項１】
表面に位置する第１の層と、前記第１の層に囲まれた第２の層と、を含む複数層構造を呈し、
前記第１の層の主成分は、ポリブチレンテレフタレート又はポリトリメチレンテレフタレートであり、
前記第２の層の主成分は、ポリエチレンテレフタレートである、
ことを特徴とする人工毛髪。
【請求項２】
前記第１の層の主成分は、前記ポリブチレンテレフタレートである、
ことを特徴とする請求項１記載の人工毛髪。
【請求項３】
前記第２の層は、前記人工毛髪の中心に位置する芯部である、
ことを特徴とする請求項１又は２記載の人工毛髪。
【請求項４】
請求項１から３のいずれか１項記載の人工毛髪と、
前記人工毛髪が植毛されたかつらベースと、
を備えることを特徴とするかつら。
【発明の詳細な説明】
【技術分野】
【０００１】
本発明は、例えばかつらに用いられる人工毛髪、及びかつらに関する。
【背景技術】
【０００２】
従来、かつら等に用いられる人工毛髪の素材としては、ＰＥＴ（ポリエチレンテレフタレート）が広く知られている。このＰＥＴは、カールした状態を維持する性質であるカール性、耐久性などに優れている。しかしながら、人工毛髪はあたかも人の地毛であるかのように認識されることが必要であるにも関わらず、ＰＥＴは、人の地毛にはない光沢を有し、人の地毛であるかのように認識されるものとはいえない。なお、ＰＥＴである人工毛髪素材にアルカリ減量加工を行い表面に凹凸を設けることで光沢を抑えることはできるが、それでもなお、人の地毛であるかのように認識されるとはいい難い。
【０００３】
なお、芯部及び鞘部の２層構造となっている人工毛髪が知られている（例えば、特許文献１参照）。このような２層構造の人工毛髪は、製造に手間を要する反面、芯部及び鞘部の両方の特性を得られる。
【先行技術文献】
【特許文献】
【０００４】
【特許文献１】特許４８２３２３７号公報
【発明の概要】
【発明が解決しようとする課題】
【０００５】
上述のように、ＰＥＴからなる人工毛髪は、人の地毛と認識されにくい。一方、ＰＢＴ（ポリブチレンテレフタレート）又はＰＴＴ（ポリトリメチレンテレフタレート）からなる人工毛髪は、風合い（外観、触感など）の点で、ＰＥＴよりも人の地毛と認識されやすい。しかしながら、ＰＢＴ又はＰＴＴからなる人工毛髪は、カール性、耐久性などの点では、ＰＥＴからなる人工毛髪に劣るといえる。
【０００６】
本発明の目的は、カール性及び耐久性に優れ、且つ、人の地毛であるかのように認識される人工毛髪及びこの人工毛髪を備えるかつらを提供することである。
【課題を解決するための手段】
【０００７】
１つの観点では、人工毛髪は、表面に位置する第１の層と、前記第１の層に囲まれた第２の層と、を含む複数層構造を呈し、前記第１の層の主成分は、ポリブチレンテレフタレート又はポリトリメチレンテレフタレートであり、前記第２の層の主成分は、ポリエチレンテレフタレートである。
【０００８】
また、前記人工毛髪において、前記第１の層の主成分は、前記ポリブチレンテレフタレートであるとよい。
また、前記人工毛髪において、前記第２の層は、前記人工毛髪の中心に位置する芯部であるとよい。
【０００９】
別の観点では、かつらは、前記人工毛髪と、前記人工毛髪が植毛されたかつらベースと、を備える。
【発明の効果】
【００１０】
本発明によれば、カール性及び耐久性に優れ、且つ、人の地毛であるかのように認識される人工毛髪及びこの人工毛髪を備えるかつらを提供することができる。
【図面の簡単な説明】
【００１１】
【図１】本発明の一実施の形態に係る人工毛髪を示す断面図である。
【図２】本発明の一実施の形態に係る人工毛髪の製造方法を示す工程図である。
【図３】本発明の一実施の形態に係るかつらを示す平面図である。
【発明を実施するための形態】
【００１２】
以下、本発明の一実施の形態に係る人工毛髪及びかつらについて、図面を参照しながら説明する。
図１は、本実施の形態に係る人工毛髪１０を示す断面図である。
【００１３】
図２は、人工毛髪１０の製造方法を示す工程図である。
図１に示す人工毛髪１０は、表面に位置する第１の層の一例である鞘部１１と、この鞘部１１に囲まれた第２の層の一例である芯部１２と、を含む複数層構造を呈する。
【００１４】
なお、人工毛髪１０は、第１の層（鞘部１１）と第２の層（芯部１２）との間に１つ以上の他の層が設けられていてもよいし、第２の層に囲まれた１つ以上の他の層が設けられていてもよい。
【００１５】
鞘部１１の主成分は、例えばＰＢＴ（ポリブチレンテレフタレート）である。但し、鞘部１１の主成分がＰＴＴ（ポリトリメチレンテレフタレート）であってもよい。
芯部１２の主成分は、ＰＥＴ（ポリエチレンテレフタレート）である。
【００１６】
なお、芯部１２は、人工毛髪１０の中心に位置するが、必ずしも人工毛髪１０と芯部１２とが同心円を構成する必要はなく、人工毛髪１０の中心に芯部１２のいずれかの部分が位置してればよい。
【００１７】
図２に示すように、本実施の形態に係る人工毛髪１０の製造方法は、原糸である人工毛髪素材を製造する製糸工程Ｓ１と、人工毛髪素材にアルカリ減量加工を行うアルカリ減量工程Ｓ２と、人工毛髪素材を染色する染色工程Ｓ３と、を含む。
【００１８】
各工程は、任意の公知の種々の手法を用いて行うことができるため、ここでは各工程の概要を説明する。
まず、製糸工程Ｓ１では、溶融混合紡糸法にて、ＰＥＴ及びＰＢＴのホモのポリエステルポリマー（材料Ａ）に対し、ジカルボン酸成分としてイソフタル酸、スルホイソフタル酸塩、またジオール成分としてポリエチレングリコール、ポリプロピレングリコール、ポリテトラメチレングリコールなどのポリアルキレングリコールを用い、ジカルボン酸成分及び／又はジオール成分を共重合してなる共重合ＰＥＴなど（材料Ｂ）を少量混合（ペレットでドライブレンド）し、繊維内に材料Ｂを分散させるとよい。
【００１９】
その分散状態としては、材料Ｂは人工毛髪素材中で液滴状や筋状態で分布する。人工毛髪素材は、延伸により長針状、筋状に変形される。スルホイソフタル酸塩は、例えば１〜５ｍｏｌ％であり、アルキレングリコールは、例えば３〜１５重量％であることが望ましい。
【００２０】
また、艶消し剤の一例として、シリカ（ＳｉＯ２）及び酸化チタン（ＴｉＯ２）を含有させるとよい。これらの艶消し剤は、合計１重量％以下で混合されていることが望ましい。更に、芯成分及び鞘成分には上記の艶消し剤の他に、安定剤、紫外線吸収剤、流動改善剤、着色剤などの添加剤を加えることもできる。
【００２１】
また、あくまで一例であるが、人工毛髪素材の製糸段階では、鞘部１１となる部分が占める体積割合が３０〜５０％で、且つ、芯部１２となる部分が占める体積割合が５０〜７０％であることが望ましい。
【００２２】
次に、アルカリ減量工程Ｓ２は、人工毛髪素材の表面をアルカリ加水分解する工程であり、例えば、人工毛髪素材を１００℃以上に加熱されたアルカリ溶液の中に浸し、アルカリ減量処理を行う。これにより、製造される人工毛髪１０の鞘部１１の表面に、微細な凹部が形成される。
【００２３】
最後に、染色工程Ｓ３では、上述のようにアルカリ減量加工が行われた人工毛髪素材に黒色、茶色などの任意の色に染色を行う。
図３は、本実施の形態に係るかつら１を示す平面図である。
【００２４】
図３に示すかつら１は、複数の上述の人工毛髪１０と、この人工毛髪１０が植毛されたかつらベース２０と、を備える。かつら１は、図３に示すようにかつら装着者の頭部のほぼ全体に配置されるかつら１であってもよいし、かつら装着者の頭部の全体又は一部に配置される全頭かつら又は部分かつらであってもよい。
【００２５】
かつらベース２０は、本体部２１と、周縁部２２と、分け目部２３と、を有する。かつらベース本体部２１には、人工毛髪１０が植毛されている。なお、図３において、人工毛髪１０は、本体部２１、周縁部２２、及び分け目部２３のそれぞれに１本又は２本のみ図示されているが、実際には、例えば密集するようにかつらベース２０に植毛される。
【００２６】
周縁部２２は、本体部２１とは異なる部材から形成されているか、或いは、本体部２１を折り返すことで形成されている。分け目部２３は、例えば、合成樹脂からなる人工皮膚により形成されている。また、分け目部２３は、本体部２１を刳り貫いた部分に配置されているか、或いは、本体部２１上に重なるように配置されている。
【００２７】
なお、本実施の形態では、本体部２１、周縁部２２、及び分け目部２２が設けられたかつらベース２０を一例として説明しているが、かつらベース２０は、本体部２１のみからなるかつらベースや、その他のかつらベースであってもよい。
【００２８】
以上説明した本実施の形態では、人工毛髪１０は、表面に位置する第１の層の一例である鞘部１１と、この鞘部１１に囲まれた第２の層の一例である芯部１２と、を含む複数層構造を呈する。また、鞘部１１の主成分は、ＰＢＴ又はＰＴＴであり、芯部１２の主成分は、ＰＥＴである。そのため、ＰＢＴ又はＰＴＴを主成分とする鞘部１１が人工毛髪１０の表面に位置することで、風合い（外観、触感など）の点で、鞘部１１がＰＥＴからなる場合よりも人の地毛と認識されやすくなる。また、ＰＥＴを主成分とする芯部１２が人工毛髪１０の内部に位置することによって、芯部１２がＰＢＴやＰＴＴからなる場合よりも、カール性、耐久性などを高めることができる。更には、鞘部１１がＰＢＴ又はＰＴＴ、特にＰＴＴを主成分とする場合、ＰＥＴを主成分とする芯部１２のカールに追従して変形しやすくなり、この点でもカール性を高めることができる。
【００２９】
よって、本実施の形態によれば、カール性及び耐久性に優れ、且つ、人の地毛であるかのように認識される人工毛髪１０及びこの人工毛髪１０を備えるかつら１を提供することができる。
【００３０】
また、本実施の形態では、表面に位置する第１の層（鞘部１１）に囲まれた第２の層の一例が、人工毛髪１０の中心に位置する芯部１２である。そのため、ＰＥＴを主成分とする芯部１２によって、人工毛髪１０のカール性、耐久性などを十分に高めることができる。
【符号の説明】
【００３１】
１      かつら
１０      人工毛髪
１１      鞘部（第１の層）
１２      芯部（第２の層）
２０      かつらベース
２１      本体部
２２      周縁部
２３      分け目部
【図１】
2018071017.tif 000003
【図２】
2018071017.tif 000004
【図３】
2018071017.tif 000005